(57)【要約】      （修正有）【課題】発光ダイオードモジュールを駆動するための駆動回路を提供する。【解決手段】駆動回路は制御モジュールと、駆動モジュールと、検出モジュールとを備える。駆動モジュールは、制御モジュールおよび発光ダイオードモジュールに電気的に接続されており、発光ダイオードモジュールを駆動するように複数の駆動信号を提供する。検出モジュールは、発光ダイオードモジュールおよび制御モジュールに電気的に接続される。また、検出モジュールは、発光ダイオードモジュールの電圧または電流を検出して、この電圧または電流に対応する検出信号を制御モジュールに送信する。制御モジュールは、発光ダイオードモジュールを複数の駆動信号の少なくとも一つの駆動時間において均一に発光させるように、検出信号に応じて複数の駆動信号の少なくとも一つの波形を調整する。【選択図】図１
2018180517.tif 000002
【特許請求の範囲】
【請求項１】
発光ダイオードモジュールを駆動するための駆動回路であって、
制御モジュールと、
前記制御モジュールおよび前記発光ダイオードモジュールに電気的に接続されており、前記発光ダイオードモジュールを駆動するように複数の駆動信号を提供する駆動モジュールと、
前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
前記制御モジュールは、前記発光ダイオードモジュールを前記複数の駆動信号の少なくとも一つの駆動時間において均一に発光させるように、前記検出信号に応じて、前記複数の駆動信号の少なくとも一つの波形を調整する
ことを特徴とする駆動回路。
【請求項２】
前記検出回路は、前記発光ダイオードモジュールの所定の時間における電圧変化量または前記発光ダイオードモジュールの所定の時間における電流変化量を検出する
ことを特徴とする、請求項１に記載の駆動回路。
【請求項３】
前記所定の時間は、ピコ秒から数十マイクロ秒である
ことを特徴とする、請求項２に記載の駆動回路。
【請求項４】
前記制御モジュールは、
前記検出信号に応じて前記少なくとも一つの前記複数の駆動信号の波形を調整する補償ユニットをさらに備える
ことを特徴とする、請求項１に記載の駆動回路。
【請求項５】
前記制御モジュールは、前記制御モジュールが前記複数の駆動信号の前記複数の波形を調整する複数の補償パラメータを記憶するための記憶ユニットをさらに備える
ことを特徴とする、請求項１に記載の駆動回路。
【請求項６】
発光ダイオードモジュールと、
制御モジュールと、
前記制御モジュールおよび前記発光ダイオードモジュールに電気的に接続されており、前記発光ダイオードモジュールを駆動するように複数の駆動信号を提供する駆動モジュールと、
前記発光ダイオードモジュールおよび前記制御モジュールに電気的に接続され、前記発光ダイオードモジュールの電圧または電流を検出して、前記電圧または前記電流に対応する検出信号を前記制御モジュールに送信する検出モジュールと、を備え、
前記制御モジュールは、前記発光ダイオードモジュールを波形が調整された駆動信号の駆動時間において均一に発光させるように、前記検出信号に応じて、複数の駆動信号の中の一つの前記駆動信号の波形を調整する
ことを特徴とする発光装置。
【請求項７】
前記発光ダイオードモジュールは、
第１発光ダイオード列と、
第２発光ダイオード列と、を備え、
前記駆動モジュールは、前記第１発光ダイオード列および前記第２発光ダイオード列をそれぞれ駆動するように、複数の第１駆動信号および複数の第２駆動信号を提供し、
前記制御モジュールは、前記第１発光ダイオード列および前記第２発光ダイオード列をそれぞれ波形が調整された前記第１駆動信号および波形が調整された前記第２駆動信号のそれぞれの駆動時間において均一に発光させるように、前記第１発光ダイオード列の第１検出信号および前記第２発光ダイオード列の第２検出信号のそれぞれに応じて、前記複数の第１駆動信号の少なくとも一つおよび前記複数の第２駆動信号の少なくとも一つを調整する
ことを特徴とする、請求項６に記載の発光装置。
【発明の詳細な説明】
【技術分野】
【０００１】
本発明は、発光装置に関し、特に駆動波形補償機能を有する発光装置に関する。
【背景技術】
【０００２】
近年来、マイクロ発光ダイオードの技術が進んでいるので、発光ダイオード表示装置は解像度において徐々に液晶表示装置に匹敵できるようになっている。しかし、発光ダイオードの電気特性は液晶分子と異なるので、発光ダイオード表示装置の輝度制御においては、不備な点がまだ多い。
【発明の概要】
【発明が解決しようとする課題】
【０００３】
如何に、発光ダイオード表示装置を各制御信号において均一に発光させることができるかは、明らかに業界の重要な課題となっている。
【課題を解決するための手段】
【０００４】
本発明は、前記のようなことに鑑みなされたものであって、発光ダイオードモジュールを駆動するための駆動回路を提供する。駆動回路は制御モジュールと、駆動モジュールと、検出モジュールとを備える。駆動モジュールは、制御モジュールおよび発光ダイオードモジュールに電気的に接続されており、発光ダイオードモジュールを駆動するように複数の駆動信号を提供する。検出モジュールは、発光ダイオードモジュールおよび制御モジュールに電気的に接続される。また、検出モジュールは、発光ダイオードモジュールの電圧または電流を検出して、この電圧または電流に対応する検出信号を制御モジュールに送信する。制御モジュールは、発光ダイオードモジュールを複数の駆動信号の少なくとも一つの駆動時間において均一に発光させるように、検出信号に応じて複数の駆動信号の少なくとも一つの波形を調整する。
【０００５】
また、検出回路は、発光ダイオードモジュールの所定の時間における電圧変化量または発光ダイオードモジュールの所定の時間における電流変化量を検出する。
【０００６】
また、所定の時間は、ピコ秒から数十マイクロ秒である。
【０００７】
前記制御モジュールは、検出信号に応じて少なくとも一つの複数の駆動信号の波形を調整する補償ユニットをさらに備える。
【０００８】
また、制御モジュールは、制御モジュールが複数の駆動信号を調整する複数の補償パラメータを記憶するための記憶ユニットをさらに備える。
【０００９】
本発明は、発光ダイオードモジュールと、制御モジュールと、駆動モジュールと、検出モジュールとを備える発光装置を提供する。駆動モジュールは、制御モジュールおよび発光ダイオードモジュールに電気的に接続されており、発光ダイオードモジュールを駆動するように複数の駆動信号を提供する。検出モジュールは、発光ダイオードモジュールおよび制御モジュールに電気的に接続され、発光ダイオードモジュールの電圧または電流を検出して、この電圧または電流に対応する検出信号を制御モジュールに送信する。また、制御モジュールは、発光ダイオードモジュールを波形が調整された駆動信号の駆動時間において均一に発光させるように、検出信号に応じて複数の駆動信号の一つの波形を調整する。
【００１０】
また、前記発光ダイオードモジュールは、第１発光ダイオード列および第２発光ダイオード列を備える。駆動モジュールは、第１発光ダイオード列および第２発光ダイオード列をそれぞれ駆動するように、複数の第１駆動信号および複数の第２駆動信号を提供する。制御モジュールは、第１発光ダイオード列および第２発光ダイオード列をそれぞれ波形が調整された第１駆動信号および波形が調整された第２駆動信号のそれぞれの駆動時間において均一に発光させるように、第１発光ダイオード列の第１検出信号および第２発光ダイオード列の第２検出信号のそれぞれに応じて、複数の第１駆動信号の少なくとも一つおよび複数の第２駆動信号の少なくとも一つを調整する。
【発明の効果】
【００１１】
以上を纏めると、本発明の実施例の駆動回路は、発光ダイオードモジュールの電圧または電流を検出して、発光ダイオードモジュールの電圧または電流に応じて検出信号を提供し、駆動回路の制御モジュールは、検出信号に応じて駆動信号を調整して、発光ダイオードモジュールまたはその中の発光ダイオード列、発光ダイオードユニットを均一に発光させることができることは、実は発光ダイオード表示装置の制御精度に良く、発光ダイオード表示装置は、異なる輝度において全て最も良い出来栄えがある。
【図面の簡単な説明】
【００１２】
【図１】本発明の実施例に係る発光装置の模式図を示す。
【図２Ａ】本発明の実施例に係る駆動信号の模式図を示す。
【図２Ｂ】本発明の実施例に係る検出信号の模式図を示す。
【図３】本発明の実施例に係る補償された検出信号の模式図を示す。
【図４】本発明の別の実施例に係る発光装置の模式図を示す。
【図５Ａ】本発明の別の実施例に係る第１発光ダイオード列の駆動信号の模式図を示す。
【図５Ｂ】本発明の別の実施例に係る第１発光ダイオード列の検出信号の模式図を示す。
【図６】本発明の別の実施例に係る第１発光ダイオード列の補償された検出信号の模式図を示す。
【発明を実施するための形態】
【００１３】
本発明の前記特徴とメリットがより一層分かりやすいように、以下に好ましい実施例を特に挙げ、添付図面を参照しながら、下記の通りに詳しく説明する。
【００１４】
以下に添付図面を参照し、種々の例示的な実施例をより十分に説明し、添付図面に幾つかの例示的な実施例を示す。しかし、本発明の概念は多くの異なる形で具現されることが可能であり、本明細書に述べられている例示的な実施例に限定されるものではない。正確に言えば、これらの例示的な実施例を提供することで、本発明が詳しくかつ完全になり、当業者に本発明の概念の範疇を十分に伝える。各図面において、明確にするために、層および区の大きさならびに相対的大きさを誇張して示すことができる。同様な数字は常に同様なエレメントを指す。
【００１５】
なお、本明細書では、第１、第２、第３等の用語で種々のエレメントを説明する可能性があるが、これらのエレメントはこれらの用語に制限されるべきではない。これらの用語は一つのエレメントと別のエレメントを区別するためのものである。従って、後述する第１エレメントは、第２エレメントと言え、本発明の概念の教示を逸脱しない。本明細書に用いられるように、用語「および／または」は関連の列記される項目中のいずれか、および一つ以上の全ての組合せを含む。
【００１６】
以下に少なくとも一つの実施例により、図面を参照しながら、前記発光装置を説明するが、下記の実施例は本開示内容を制限するためのものではない。
〔本発明に係る発光装置の実施例〕
【００１７】
図１を参照する。図１は本発明の実施例に係る発光装置の模式図を示す。
【００１８】
発光装置１は、制御モジュール１１と、駆動モジュール１２と、発光ダイオードモジュール１３と、検出モジュール１５とを備える。
【００１９】
制御モジュール１１は駆動モジュール１２に電気的に接続される。駆動モジュールは、発光ダイオードモジュール１３に電気的に接続され、複数の駆動信号を発光ダイオードモジュール１３に提供し発光ダイオードモジュール１３を駆動する。本実施例では、複数の駆動信号は、複数の矩形波電圧信号または複数の矩形波電流信号を含んで、発光ダイオードモジュール１３を駆動するためのものであり、本発明では制限されない。つまり、本実施例では、一つの矩形波は一つの駆動信号と言われる。複数の駆動信号も複数の矩形波を表す。他の実施例では、駆動信号は、三角波または所定の形状の波形、例えば、正弦波またはスルーレート（ｓｌｅｗ  ｒａｔｅ）を有する台形状の波形であってもよく、本発明では制限されない。
【００２０】
検出モジュール１５は発光ダイオードモジュール１３および制御モジュール１１に電気的に接続される。検出モジュール１５は、発光ダイオードモジュール１３の電圧または電流を検出するためのものであり、発光ダイオード１３の電圧または電流に対応する検出信号に変換される。検出モジュール１５は、検出信号を制御モジュール１１に送信する。
【００２１】
発光ダイオードモジュール１３は、一定の容量またはインダクタンスのインピーダンス特性を有するので、矩形波波形を有する電圧駆動信号または電流駆動信号は、発光ダイオードモジュール１３を通過した後、発光ダイオードモジュール１３のインピーダンス特性のため、波形が歪むことを発生する。制御モジュール１１は、発光ダイオードモジュール１３が前記駆動信号の駆動時間Ｔにおいて均一に発光できるように、検出モジュール１５の検出信号に応じて、駆動信号の波形を調整することができる。本実施例では、複数の駆動信号は、パルス幅変調（Ｐｕｌｓｅ  ｗｉｄｔｈ  ｍｏｄｕｌａｔｉｏｎ、ＰＷＭ）信号であるので、各駆動信号の駆動時間Ｔは全て異なる。
【００２２】
図２Ａ、図２Ｂおよび図３を参照する。図２Ａは本発明の実施例の駆動信号の模式図を示す。図２Ｂは本発明の実施例に係る検出信号の模式図を示す。図３は本発明の実施例に係る補償された検出信号の模式図を示す。
【００２３】
図２Ａは補償調整されていない駆動信号の波形である。図３Ｂは補償調整されていない検出信号の波形である。図２Ａに示すように、複数の駆動信号は、全て矩形波である。しかし、図２Ｂにおける対応する検出信号は、負荷（発光ダイオードモジュール１３）のインピーダンス特性のため、波形の変化を発生した。本実施例では、図２Ｂにおける波形の変化も、発光ダイオードモジュール１３の輝度が駆動信号の時間において均一に発光していないことを表す。
【００２４】
本実施例では、検出モジュール１５は、所定の時間ΔＴにおける電圧変化量ΔＶまたは電流変化量を検出する。図２Ａおよび図２Ｂは電圧変化量ΔＶを典型例にするものである。本実施例では、所定の時間ΔＴは、ピコ秒（ｐｉｃｏｓｅｃｏｎｄ、ｐｓ）または数十マイクロ秒（ｍｉｃｒｏｓｅｃｏｎｄ、ｕｓ）であってもよい。この所定の時間ΔＴは、検出モジュール１５自体が有する計時ユニット（図示せず）に応じて設定されてもよく、本発明では制限されない。
【００２５】
検出モジュール１５は、検出された所定の時間ΔＴにおける電圧変化量または電流変化量に応じて、検出信号を制御モジュール１１に提供することができる。本実施例では、検出モジュール１５は、所定の時間ΔＴにおける電圧変化量ΔＶまたは電流変化量を制御モジュール１１、つまり、発光ダイオードモジュール１３の一端の電圧または発光ダイオードモジュール１３を流れる電流の各時間帯における変化量を制御モジュール１１に提供する。制御モジュール１１は、検出モジュール１５によって検出された発光ダイオードモジュール１３の電圧波形または電流波形が図３における点線に示すような矩形波波形として現れるように、これらの変化量に応じて、対応する駆動信号の波形を調整、補償することができる。
〔本発明に係る発光装置の別の実施例〕
【００２６】
図４を参照する。図４は本発明の実施例に係る発光装置の別の模式図を示す。
【００２７】
発光装置１’は、制御モジュール１１’と、駆動モジュール１２’と、発光ダイオードモジュール１３’と、検出モジュール１５’とを備える。
【００２８】
制御モジュール１１’は駆動モジュール１２’に電気的に接続される。駆動モジュールは、発光ダイオードモジュール１３’に電気的に接続され、複数の駆動信号を発光ダイオードモジュール１３’に提供し発光ダイオードモジュール１３’を駆動する。本実施例では、複数の駆動信号は、複数の矩形波電圧信号または複数の矩形波電流信号を含んで、発光ダイオードモジュール１３’を駆動するためのものであり、本発明では制限されない。
【００２９】
検出モジュール１５’は発光ダイオードモジュール１３’および制御モジュール１１’に電気的に接続される。検出モジュール１５’は、発光ダイオードモジュール１３’の電圧または電流を検出するためのものであり、発光ダイオード１３’の電圧または電流に対応する検出信号に変換される。検出モジュール１５’は、検出信号を制御モジュール１１’に送信する。
【００３０】
本実施例では、発光ダイオードモジュール１３’は、第１発光ダイオード列１３１’と、第２発光ダイオード列１３２’と、第３発光ダイオード列１３３’とをさらに備える。また、第１発光ダイオード列１３１’、第２発光ダイオード列１３２’、および第３発光ダイオード列１３３’は、それぞれ複数の発光ダイオードユニット（図示せず）を備える。第１発光ダイオード列１３１’、第２発光ダイオード列１３２’、および第３発光ダイオード列１３３’がそれぞれ備える発光ダイオードユニット（図示せず）の数量は、本発明では制限されない。なお、他の実施例では、発光ダイオードモジュール１３’は、一つ以上の発光ダイオード列を備えてもよく、つまり発光ダイオードモジュール１３’が備える発光ダイオード列の数量も、本発明では制限されない。
【００３１】
発光ダイオードモジュール１３’の第１発光ダイオード列１３１’、第２発光ダイオード列１３２’、および第３発光ダイオード列１３３’はそれぞれ異なる容量またはインダクタンスのインピーダンス特性を有するので、矩形波波形を有する電圧駆動信号または電流駆動信号は、発光ダイオードモジュール１３’の第１発光ダイオード列１３１’、第２発光ダイオード列１３２’、および第３発光ダイオード列１３３’を通過した後、検出モジュール１５’によって検出された電圧波形または電流波形は、発光ダイオードモジュール１３’の第１発光ダイオード列１３１’、第２発光ダイオード列１３２’、および第３発光ダイオード列１３３’のそれぞれのインピーダンス特性に起因して歪むこととなる。
【００３２】
上述した実施例のように、制御モジュール１１’は、発光ダイオードモジュール１３’が前記駆動信号の駆動時間Ｔにおいて均一に発光できるように、検出モジュール１５’の検出信号に応じて、少なくとも一つの駆動信号の波形を調整することができる。つまり、本実施例では、駆動モジュール１２’は、それぞれ３組の駆動信号を第１発光ダイオード列１３１’、第２発光ダイオード列１３２’、および第３発光ダイオード列１３３’に提供することができる。検出モジュール１５’は、それぞれ第１発光ダイオード列１３１’、第２発光ダイオード列１３２’、および第３発光ダイオード列１３３’の電圧または電流を検出し、それぞれ第１発光ダイオード列１３１’、第２発光ダイオード列１３２’、および第３発光ダイオード列１３３’に対応する第１検出信号、第２検出信号、および第３検出信号に変換し制御モジュール１１’に提供する。制御モジュール１１’の補償ユニット１１１’は、第１発光ダイオード列１３１’、第２発光ダイオード列１３２’、および第３発光ダイオード列１３３’に対応する第１検出信号、第２検出信号、および第３検出信号に応じて、それぞれ第１補償パラメータ、第２補償パラメータ、および第３補償パラメータを前記制御モジュール１１’に提供する。前記制御モジュール１１’は、これらの補償パラメータに応じて、それぞれ第１発光ダイオード列１３１’、第２発光ダイオード列１３２’、および第３発光ダイオード列１３３’に提供される駆動信号を調整する。
【００３３】
本実施例では、第１補償パラメータは、少なくとも第１発光ダイオード列の一つの駆動信号に対応する補償パラメータを含む。つまり、第１補償パラメータは、各異なる駆動信号波形および対応する検出信号に応じて生成するものである。本実施例では、第１補償パラメータ、第２補償パラメータ、および第３補償パラメータは、線形方式または非線形アルゴリズムにより生成してもよく、本発明では制限されない。
【００３４】
なお、制御モジュール１１’は、第１補償パラメータと、第２補償パラメータと、第３補償パラメータとを記憶するためのモジュール１１２’をさらに備える。
【００３５】
図５Ａ、図５Ｂおよび図６を参照する。図５Ａは本発明の別の実施例に係る第１発光ダイオード列の駆動信号の模式図を示す。図５Ｂは本発明の別の実施例に係る第１発光ダイオード列の検出信号の模式図を示す。図６は本発明の別の実施例に係る第１発光ダイオード列の補償された検出信号の模式図を示す。
【００３６】
図５Ａに示すように、複数の駆動信号は、全て矩形波である。しかし、図５Ｂにおける対応する検出信号は、負荷（発光ダイオードモジュール１３’の第１発光ダイオード列１３１’）のため、波形の変化を発生した。本実施例では、図５Ｂにおける波形の歪も、発光ダイオードモジュール１３’の第１発光ダイオード列１３１’の輝度が駆動信号の駆動時間Ｔ’において均一に発光していないことを表す。
【００３７】
本実施例では、検出モジュール１５’は、所定の時間ΔＴにおける電圧変化量または電流変化量を検出する。図５Ａおよび図５Ｂは電圧を典型例にするものである。本実施例では、所定の時間ΔＴ’は、ピコ秒（ｐｉｃｏｓｅｃｏｎｄ、ｐｓ）または数十マイクロ秒（ｍｉｃｒｏｓｅｃｏｎｄ、ｕｓ）であってもよい。この所定の時間ΔＴ’は、検出モジュール１５’が備える計時ユニット（図示せず）に応じて設定されてもよく、本発明では制限されない。
【００３８】
検出モジュール１５’は、検出された所定の時間ΔＴ’における電圧変化量ΔＶまたは電流変化量に応じて、発光ダイオードモジュール１３’の第１発光ダイオード列１３１’、第２発光ダイオード列１３２’、および第３発光ダイオード列１３３’に対応する第１検出信号、第２検出信号、および第３検出信号を制御モジュール１１’に提供することができる。本実施例では、検出モジュール１５’は、第１発光ダイオード列１３１’の所定の時間ΔＴ’における電圧変化量ΔＶまたは電流変化量を制御モジュール１１’、つまり、第１発光ダイオード列１３１’の一端の電圧または第１発光ダイオード列１３１’を流れる電流の各時間帯の変化量を制御モジュール１１’に提供する。制御モジュール１１’は、検出モジュール１５’によって検出された発光ダイオードモジュール１３’の電圧波形または電流波形が、図６に示すような矩形波として現れるように、これらの変化量に応じて、対応する駆動信号の波形を調整、補償することができる。
〔実施例の可能な効果〕
【００３９】
以上を纏めると、本発明の実施例の駆動回路は、発光ダイオードモジュールの電圧または電流を検出して、発光ダイオードモジュールの電圧または電流に応じて検出信号を提供することができ、駆動回路の制御モジュールは、検出信号に応じて駆動信号を調整して、発光ダイオードモジュールまたはその中かの発光ダイオード列、発光ダイオードユニットを均一に発光させることができることは、実は発光ダイオード表示装置の制御精度に良く、発光ダイオード表示装置は、異なる輝度において全て最も良い出来栄えがある。
【００４０】
上述したことは本発明の実施例に過ぎず、これにより本発明の特許請求の範囲を制限するものではない
【符号の説明】
【００４１】
１、１’    発光裝置
１１、１１’制御モジュール
１２、１２’駆動モジュール
１３、１３’発光ダイオードモジュール
１５、１５’検出モジュール
１１１’    補償ユニット
１１２’    記憶ユニット
１３１’    第１発光ダイオード列
１３２’    第２発光ダイオード列
１３３’    第３発光ダイオード列
Ｔ          駆動時間
ΔＴ        所定の時間
ΔＶ        電圧変化量
【図１】
2018180517.tif 000003
【図２Ａ】
2018180517.tif 000004
【図２Ｂ】
2018180517.tif 000005
【図３】
2018180517.tif 000006
【図４】
2018180517.tif 000007
【図５Ａ】
2018180517.tif 000008
【図５Ｂ】
2018180517.tif 000009
【図６】
2018180517.tif 000010